(57)【特許請求の範囲】
【請求項１】
パチンコ遊技機内に着脱可能に装着されてパチンコゲームを展開し得る遊技領域(17)を構成した遊技盤(I)において、
前記遊技領域(17)の所要部位に配設され、該遊技領域(17)を落下する遊技球が入球し得る入賞口(25)、および入賞口(25)に入った遊技球を通出させる左右の球出口(39,39)を備えた遊技部品本体(30)と、
前記遊技部品本体(30)の裏側に設けられ、前記入賞口(25)および左右の球出口(39,39)を接続する左右の排出案内路(29,29)を備えた裏部材(28)と、
前記遊技部品本体(30)に形成されて前記左右の球出口(39,39)の開口部から中央に向けて下り勾配で延在する傾斜路部(38a,38a)および中央の集合凹路部(38b)が一連に成形され、左右の球出口(39,39)から通出された遊技球を左右へ移動可能に受け得ると共に遊技領域(17)の下方へ落下させ得る球受け部(38)と、
前記傾斜路部(38a,38a)の前端縁に形成されて遊技球の前側への落下を防止する落下防止縁(40,40)と、
前記球受け部(38)の前側略中央部に起立状に設けられ、第１の状態および第２の状態に変位する左右一対の可動片(48,48)を含む可動規制部材(46)と、
前記可動規制部材(46)に連繋する電気的作動源(56)を含む作動機構(47)と、
前記遊技領域(17)における遊技部品本体(30)の下方に配設され、前記球受け部(38)から落下した遊技球を受入れ可能な遊技具(18)とからなり、
前記第１の状態では、前記左右一対の可動片(48,48)が互いに離間して、その先端間の間隔が遊技球の直径よりもかなり大きな拡開的に変位することで、前記球受け部(38)に受けられた遊技球を前記遊技具(18)に向けて通出落下し難くし、
前記第２の状態では、前記左右一対の可動片(48,48)が互いに近接して、その先端間の間隔が遊技球の直径よりやや大きい狭閉的に変位することで、前記球受け部(38)に受けられた遊技球を前記遊技具(18)に向けて通出落下し易くするように構成した
ことを特徴とするパチンコ遊技機の遊技盤。
【請求項２】
前記遊技部品本体(30)には、前記球受部(38)の前側に挿通孔(41,41)が形成されて、該挿通孔(41,41)に前記左右一対の可動片(48,48)が出没可能に挿通され、
前記左右一対の可動片(48,48)は、前記第１の状態では前記挿通孔(41,41)の内側に没して前記左右の落下防止縁(40,40)の間からの遊技球の落下を許容すると共に、前記第２の状態では各可動片(48,48)と対応する落下防止縁(40,40)との間からの遊技球の落下を規制し得る位置関係となるよう挿通孔(41,41)から突出して左右の落下防止縁(40,40)の間に位置している請求項１記載のパチンコ遊技機の遊技盤。
【請求項３】
パチンコ遊技機内に着脱可能に装着されてパチンコゲームを展開し得る遊技領域(17)を構成した遊技盤(I)において、
前記遊技領域(17)の所要部位に配設され、該遊技領域(17)を落下する遊技球が入球し得る入賞口(25)、および入賞口(25)に入った遊技球を通出させる左右の球出口(39,39)を備えた遊技部品本体(30)と、
前記遊技部品本体(30)の裏側に設けられ、前記入賞口(25)および左右の球出口(39,39)を接続する左右の排出案内路(29,29)を備えた裏部材(28)と、
前記遊技部品本体(30)に形成されて前記左右の球出口(39,39)の開口部から中央に向けて下り勾配で延在する傾斜路部(38a,38a)および中央の集合凹路部(38b)が一連に成形され、左右の球出口(39,39)から通出された遊技球を左右へ移動可能に受け得ると共に遊技領域(17)の下方へ落下させ得る球受け部(38)と、
前記傾斜路部(38a,38a)の前端縁に形成されて遊技球の前側への落下を防止する落下防止縁(40,40)と、
前記球受け部(38)の前側略中央部に起立状に設けられ、第１の状態および第２の状態に変位する左右一対の可動片(73,73)を含む可動規制部材(72)と、
前記可動規制部材(72)に連繋する電気的作動源(56)を含む作動機構(47)と、
前記遊技領域(17)における遊技部品本体(30)の下方に配設され、前記球受け部(38)から落下した遊技球を受入れ可能な遊技具(18)とからなり、
前記第１の状態では、前記左右一対の可動片(73,73)が閉鎖当接するよう変位することで、前記球受け部(38)に受けられた遊技球を左右方向へ振分け的に落下させて遊技領域(17)の遊技具(18)に向けて通出し難くし、
前記第２の状態では、前記左右一対の可動片(73,73)が離間して、その先端間の間隔が遊技球の直径よりやや大きくなるよう変位することで、前記球受け部(38)に受けられた遊技球を遊技領域(17)の遊技具(18)に向けて通出し易くすると共に、
前記各可動片(73,73)の集合凹路部(38b)を指向する後面を、他方の可動片(73,73)を指向する先端から反対側に向けて前面側に傾斜する弧状に形成して、第１の状態では遊技球を左右方向へ振分けるよう構成した
ことを特徴とするパチンコ遊技機の遊技盤。
【発明の詳細な説明】
【０００１】
【発明の属する技術分野】
この発明は、パチンコ遊技機の遊技盤に関し、更に詳しくは、パチンコ遊技機内に装着されてパチンコゲームを展開し得る遊技領域を構成した遊技盤に関するものである。
【０００２】
【従来の技術】
周知のように、パチンコ機やアレンジボール機に代表されるパチンコ遊技機では、遊技領域内に各種入賞具や入賞装置および遊技部品等を装着して構成される遊技盤が機内にセットされ、この遊技盤の遊技領域内にパチンコ球(遊技球ともいう)を打込んで、所要のパチンコゲームを行なうようになっている。このようなパチンコ遊技機にあっては、遊技盤でのゲーム内容別による型式において、従来より呼称区分されている代表的な機種タイプとして要約すると、
(ａ) 第１種パチンコ機と称されている型式。すなわち遊技盤において、遊技球用の入賞検出始動手段としての始動入賞口(遊技者に興味、関心の持たれる所要部位)と、始動入賞条件に基いて図柄を変動して、設定された所定の確率で図柄組合わせ(俗に大当りともいう)を表示し得る図柄可変表示装置と、図柄組合わせ(大当り)の成立に基いて設定開放パターンを開閉作動し得ると共に、開放時間、入賞個数、開放継続回数が制限された大型電動式の入賞装置とが配設されて、図柄組合わせ入賞開放ゲームを展開し得るタイプ。
(ｂ) 第２種パチンコ機と称されている型式。すなわち遊技盤において、始動入賞口(遊技者に興味、関心の持たれる所要部位)と、連続作動装置(Ｖスイッチ)と、そして検出始動入賞条件に基く第１の開放パターンおよび連続作動条件に基く第２の開放パターンで作動し得ると共に、開閉時間および回数、入賞個数、開放継続回数が制限された大型電動式の入賞装置とが配設されて、役物開閉ゲームを展開し得るタイプ。
(ｃ) 第３種パチンコ機と称されている型式。すなわち遊技盤において、権利発生用手段としての特定入賞口(遊技者に興味、関心の持たれる所要部位)および特別装置(Ｖスイッチともいう)と、役物開放条件手段としての始動入賞口と、権利発生中における始動入賞条件毎に基いて設定開放パターンで開放作動し得ると共に、開放時間、入賞個数、開放継続回数が制限された大型電動式の入賞装置とが配設されて、権利発生ゲームを展開し得るタイプがある。
【０００３】
そして、遊技盤に構成された遊技内容によって前述した型式に区分される何れのタイプのパチンコ機にあっても、設定された夫々の特別遊技を含むゲーム内容においては、当該の始動入賞口に対する遊技球の入賞条件、つまり始動入賞条件が何よりも重要な事項の一つとされている。それだけにこの始動入賞条件を、所定のゲーム時間単位や特別遊技成立中において、適正な割合で発生するように設定することが肝要とされて、様々な工夫がなされている。例えば特開平３−２９６７７号公報には、遊技盤における遊技領域の上方から流下して可変図柄表示装置の天入賞口に入った遊技球を、流出案内流路を介して流出案内板へ案内し、該流出案内板を転動落下させた後に下方の始動入賞口の近傍へ流出させることで、該始動入賞口に対する遊技球の入球確率を高めるよう構成した弾球遊技機が開示されている。また特開平７−１７８２２０号公報では、遊技盤に設置された遊技部品の本体左右両側において昇降動可能に配設された昇降案内体が下降端位置(第１の案内状態位置)で遊技球を受けた場合には、始動口への入球条件が比較的困難に設定されて入球数を少なく維持し、該昇降案内体が上昇端位置(第２の案内状態位置)で遊技球を受けた場合には、始動口への入球条件が比較的容易に設定されて入球数を多く維持するよう構成することで、ゲーム中における始動入賞条件の発生の適正化を図ったパチンコ機が開示されている。
【０００４】
【発明が解決しようとする課題】
前述した各公報に開示のパチンコ機(弾球遊技機)における遊技盤においては、特別遊技の成立性や継続性を考慮した始動入賞条件の発生の適正化を図ったものとされている。しかし現実において、前記遊技盤での始動入賞条件については、ゲーム中の単位時間当りで観た場合では、入球数が多いまたは少ないという発生時期の差を呈することは否めなかった。すなわち前者の特開平３−２９６７７号公報の弾性遊技機における遊技盤では、天入賞口へ入球した遊技球を流出案内板を介して始動入賞口の近傍へ通出し得るとしても、該通出案内板の横幅が始動入賞口よりもかなり大きく設定してあるうえに、該流出案内板を流下する遊技球の通出位置や通出方向は全く規制されないから、始動入賞口に対する入球にばらつきが生じて始動入賞条件の発生の適正化を図り得る構成とはいえず、パチンコゲームの興趣の向上を図り得ない欠点を内在していた。一方、後者の特開平７−１７８２２０号公報のパチンコ機における遊技盤では、遊技部品の昇降案内体の昇降動によって始動入賞条件の発生の適正化がある程度は図られるよう構成されているが、始動口の上方に位置する集合凹路部の横幅が該始動口よりも幅広に設定してあるため、転落案内口を設けたとしても始動口への入球が容易となるものではないから、始動入賞条件の発生の適正化を図るには若干の問題点を内在していた。
【０００５】
【発明の目的】
本発明は、前述した課題を解決するために新規に提案されたもので、遊技領域内で展開されるパチンコゲームにおいて、所要の遊技部品本体の球受け部に受入れられた遊技球を好適に規制して、遊技者に興味、関心の持たれる入賞具や通過口等の遊技具に向けて通出し、パチンコゲームの興趣の向上を図るようにしたパチンコ遊技機の遊技盤を提供することを目的とする。
【０００６】
【課題を解決するための手段】
前述した課題を解決し、所期の目的を好適に達成するため、本発明に係るパチンコ遊技機の遊技盤は、
パチンコ遊技機内に着脱可能に装着されてパチンコゲームを展開し得る遊技領域を構成した遊技盤において、
前記遊技領域の所要部位に配設され、該遊技領域を落下する遊技球が入球し得る入賞口、および入賞口に入った遊技球を通出させる左右の球出口を備えた遊技部品本体と、
前記遊技部品本体の裏側に設けられ、前記入賞口および左右の球出口を接続する左右の排出案内路を備えた裏部材と、
前記遊技部品本体に形成されて前記左右の球出口の開口部から中央に向けて下り勾配で延在する傾斜路部および中央の集合凹路部が一連に成形され、左右の球出口から通出された遊技球を左右へ移動可能に受け得ると共に遊技領域の下方へ落下させ得る球受け部と、
前記傾斜路部の前端縁に形成されて遊技球の前側への落下を防止する落下防止縁と、
前記球受け部の前側略中央部に起立状に設けられ、第１の状態および第２の状態に変位する左右一対の可動片を含む可動規制部材と、
前記可動規制部材に連繋する電気的作動源を含む作動機構と、
前記遊技領域における遊技部品本体の下方に配設され、前記球受け部から落下した遊技球を受入れ可能な遊技具とからなり、
前記第１の状態では、前記左右一対の可動片が互いに離間して、その先端間の間隔が遊技球の直径よりもかなり大きな拡開的に変位することで、前記球受け部に受けられた遊技球を前記遊技具に向けて通出落下し難くし、
前記第２の状態では、前記左右一対の可動片が互いに近接して、その先端間の間隔が遊技球の直径よりやや大きい狭閉的に変位することで、前記球受け部に受けられた遊技球を前記遊技具に向けて通出落下し易くするように構成したことを特徴とする。
また、前述した課題を解決し、所期の目的を好適に達成するため、本願の別の発明に係るパチンコ遊技機の遊技盤は、
パチンコ遊技機内に着脱可能に装着されてパチンコゲームを展開し得る遊技領域を構成した遊技盤において、
前記遊技領域の所要部位に配設され、該遊技領域を落下する遊技球が入球し得る入賞口、および入賞口に入った遊技球を通出させる左右の球出口を備えた遊技部品本体と、
前記遊技部品本体の裏側に設けられ、前記入賞口および左右の球出口を接続する左右の排出案内路を備えた裏部材と、
前記遊技部品本体に形成されて前記左右の球出口の開口部から中央に向けて下り勾配で延在する傾斜路部および中央の集合凹路部が一連に成形され、左右の球出口から通出された遊技球を左右へ移動可能に受け得ると共に遊技領域の下方へ落下させ得る球受け部と、
前記傾斜路部の前端縁に形成されて遊技球の前側への落下を防止する落下防止縁と、
前記球受け部の前側略中央部に起立状に設けられ、第１の状態および第２の状態に変位する左右一対の可動片を含む可動規制部材と、
前記可動規制部材に連繋する電気的作動源を含む作動機構と、
前記遊技領域における遊技部品本体の下方に配設され、前記球受け部から落下した遊技球を受入れ可能な遊技具とからなり、
前記第１の状態では、前記左右一対の可動片が閉鎖当接するよう変位することで、前記球受け部に受けられた遊技球を左右方向へ振分け的に落下させて遊技領域の遊技具に向けて通出し難くし、
前記第２の状態では、前記左右一対の可動片が離間して、その先端間の間隔が遊技球の直径よりやや大きくなるよう変位することで、前記球受け部に受けられた遊技球を遊技領域の遊技具に向けて通出し易くすると共に、
前記各可動片の集合凹路部を指向する後面を、他方の可動片を指向する先端から反対側に向けて前面側に傾斜する弧状に形成して、第１の状態では遊技球を左右方向へ振分けるよう構成したことを特徴とする。
【０００７】
【作用】
遊技盤の遊技領域へ打出された遊技球は、該遊技領域内を落下して遊技部品本体の左右両側近傍に至り、その一部が該遊技部品本体に形成した球受け部に受止められる。このとき、前記可動規制部材が作動機構によって第１の状態に変位していた場合には、前記球受け部に落下した遊技球が遊技具へ向けて通出され難くなるため、該遊技球は該遊技具へ入球することなく遊技領域へ通出される。一方、前記可動規制部材が作動機構によって第２の状態に変位していた場合には、前記球受け部に落下した遊技球が遊技具へ向けて通出され易くなるため、該遊技球は該遊技具へ入球して所要の入賞条件が成立する。
【０００８】
【発明の実施の形態】
次に、本発明に係るパチンコ遊技機の遊技盤について、好適な実施例を挙げて、添付図面を参照しながら以下詳細に説明する。なお各実施例では、一般に「第１種パチンコ機」とも称されている型式、つまり始動入賞条件毎に図柄が変動停止表示されて、図柄同士の組合わせ(大当りともいう)の成立時に、大型電動式の入賞装置が設定開放パターンで作動される特別遊技を現出し得るタイプの遊技盤を備えたパチンコ機の場合を主に例示する。
【０００９】
【第１実施例】
そこで、先ず第１実施例に係る遊技盤が実施されるパチンコ機について、図１を参照して要約説明する。本実施例のパチンコ機は、その基本的な構成概要として、外枠Ａの開口前面側に対して前枠Ｂが、連結支持手段および施錠手段等を利用して着脱および開閉可能に組付けられている。そしてこの前枠Ｂの内外各部分に、横開き式のガラス扉Ｄを組付けた窓枠Ｃと、ガラス扉Ｄの下部において窓枠Ｃに対して着脱および開閉可能に組付けられる開閉セット板の前側にセットされた上球皿Ｅおよび裏側にセットされた電動式の球送り装置Ｇと、下段に位置する下球皿Ｆおよび打球発射装置Ｈと、裏側に位置する機構セット盤(図示せず)等が夫々装備されている一方、前枠Ｂ裏側の収容枠体の正面内部に所要の遊技領域(遊技面)１７を構成した遊技盤Ｉが着脱交換可能にセットされている。
【００１０】
前記前枠Ｂは、全体が合成樹脂成形されたものを例とし、基本的には枠口の前面内側に窓枠Ｃ用の設置凹部を設けた枠体１０と、この枠体１０の開口域裏側に位置して遊技盤Ｉ用のセット面口および取着部を成形した収容枠体(図示せず)と、同収容枠体下部に位置して遊技盤Ｉと整合される遊技補助盤１１とが一体に成形されている。そして、枠体１０の上縁から右縁にかけてランプ表示部１２等が装備されている一方、遊技補助盤１１の前面左右にスピーカ１３と発射レール１４が夫々セットされている。
【００１１】
(遊技盤について)
第１実施例に係る遊技盤Ｉは、略円形状に湾曲形成したレール１６内により囲まれた遊技領域１７の前側において、縦央やや下部に配設されてセーフ球をスイッチ１９(図４,図７参照)で検出し得る始動入賞口(遊技具)１８と、この始動入賞口１８の直上方に設置されて図柄透視並びに遊技球案内をなす後述の遊技部品Ｍと、遊技球用の案内車(俗に風車ともいう)２０と、始動入賞口１８の直下方に設置された前記大型電動式の入賞装置Ｎ等を備えている。また遊技盤Ｉの裏側には、各々の入賞口に入ったセーフ球を排出案内するための球案内部材が配設されていると共に、前記遊技部品Ｍの透視窓部３１の裏側に合わせて、液晶式の図柄表示装置Ｕが装備セットされている。なお図１中の符号２３は、アウト口を示す。
【００１２】
なお前記入賞装置Ｎは、一般にアタッカー式の特別電動役物とも呼ばれているもので、その基本的な構成として、入賞口２１に対設された扉状の開閉板２２が、裏側の電磁ソレノイドおよび関連機構(図示しない)を利用して設定開放パターンに基いて開閉し得るようになっていると共に、左右に普通入賞口２４が設けられている。また、入賞口２１の裏側内部にセーフ球用のカウントスイッチと、開放作動継続用の特別スイッチ(Ｖスイッチともいう)(共に図示しない)が組込まれている。
【００１３】
(遊技部品について)
第１実施例の遊技盤Ｉに装着される前記遊技部品Ｍは、その基本的な構成として、図２,図３および図４に示すように、図柄透視部と電光装飾表示部および遊技球案内部等を一つに備えて、夫々の構成部に係る機能・役割を好適に図り得るようにしたものである。図柄透視部は、遊技盤Ｉの前面側に取着セットされる本体３０をベースにして、この本体３０の中央内部において前端面から後方へ延在する矩形筒状の透視窓部３１と、該透視窓部３１の後方開口部に取着整合された透明合成樹脂成形製の透視板３２とを主体にして構成される。なお透視板３２は、表示補助手段としての図柄用の透視窓枠や入賞ライン(何れも図示せず)等の表示補助手段が、予じめ極薄フィルムに印刷されたものとして、該透視板３２のインモールド成形時に熱圧接着される。また電光装飾表示部は、適宜キャラクターデザインが採用されて本体３０前側の上部から左右両側部に亘って延在する光拡散用レンズ兼用のランプカバー３３と、このカバー３３の裏側に装着される基板３４に配置されたランプ類(主としてＬＥＤランプ)３５,３６とを主体にして構成される。すなわち、前記カバー３３に形成されたキャラクターデザインの所要位置に、始動入賞条件の有効分を表示する保留ランプ類３５(主としてＬＥＤランプ)や、遊技状態の視覚的効果を高めるための表示ランプ類３６(主としてＬＥＤランプ)等が配置されている。更に遊技球案内部は、後述するように、本体３０の前面左右両側に形成された遊技球用の受け口３７,３７と、前記透視窓部３１の後側下部に成形された球受け部３８と、球受け部３８の前側中央に配設された可動規制部材４６および開閉作動機構４７からなる遊技球規制装置４５とを主体にして構成されている。
【００１４】
また本体３０の縦央上端部には、左右に並設された球受け口２６,２６および通出口２７,２７を有する入賞口２５が成形されており、この裏面側にはセーフ球用の排出案内路２９,２９を正面左右に成形した裏部材２８が遊技盤Ｉの裏側から取着されている。左側の排出案内路２９の上端部は左側の通出口２７に整合すると共に、該排出案内路２９の下端部は左側の受け口３７の後方側に開設した球出口３９に整合しており、入賞口２５から左側の球受け口２６に入った遊技球は、左側の排出案内路２９および球出口３９を介して前記球受け部３８の左側へ通出される。また、右側の排出案内路２９の上端部は右側の通出口２７に整合すると共に、該排出案内路２９の下端部は右側の受け口３７の後方側に開設した右側の球出口３９に整合しており、入賞口２５から右側の球受け口２６に入った遊技球は、右側の排出案内路２９および球出口３９を介して前記球受け部３８の右側へ通出される。
【００１５】
前述した遊技球案内部における左右の受け口３７,３７は、前記透視窓部３１の左右上方に臨んだランプカバー３３の下方に形成されて遊技領域１７に臨んでおり、これら受け口３７,３７の側方に配設された前記案内車２０によって変向された遊技球が、該受け口３７,３７側へ通出案内される。また前記球受け部３８は、左右の球出口３９の開口部から中央に向けて下り勾配に延在する傾斜路部３８ａと、中央の集合凹路部３８ｂとが一連に成形されており、そして各傾斜路部３８ａの前端縁に遊技球の前側への落下を防止する落下防止縁４０が形成されている。なお球受け部３８の前側は、該球受け部３８よりも適宜低く形成されており、この部分に形成された挿通孔部４１,４１に、前記遊技球規制装置４５の可動規制部材４６における球規制片４８,４８(後述)が挿通されて開閉変位するようになっている。一方、集合凹路部３８ｂの前側には、前記始動入賞口１８の直上方に臨む転落案内溝４２が成形されている(図２参照)。
【００１６】
(遊技球規制装置について)
前記遊技部品Ｍに装着される遊技球規制装置４５は、遊技部品Ｍの前記球受け部３８に受入れられた遊技球を、該遊技部品Ｍの直下方に配設された前記始動入賞口１８に向けて通出規制するように機能する。この遊技球規制装置４５を構成する可動規制部材４６は、図５,図６および図７に示すように、左右対称の台形状に形成された可動片としての一対の球規制片４８,４８を備え、各球規制片４８には下方に形成された略Ｌ形のアーム４９と、該アーム４９の下端部に一体成形されて挿通孔５０ａを有するボス部５０と、このボス部５０の外周面から後方へ延出した作動棒５１とを一体成形してある。左右に対向する一対の球規制片４８,４８の夫々は、前記本体３０の下方中央部の裏側から後方へ水平かつ平行に延出する支軸４３に対し、前記ボス部５０の挿通孔５０ａを介して回動可能に枢支されている。そして可動規制部材４６は、前記集合凹路部３８ｂと前記転落案内溝４２との間において、開閉作動機構４７によって一対の球規制片４８,４８を離間させた第１の状態(図６参照)と、一対の球規制片４８,４８を挿通孔部４１,４１を介して近接させた第２の状態(図５参照)とに回動変位するようになっている。
【００１７】
前記可動規制部材４６を回動操作するための開閉作動機構４７は、図７および図８に示すように、前記裏部材２８に配設したカムボックス５５の下側に固定された駆動モータ(電気的作動源)５６と、該カムボックス５５内に配設されて前記駆動モータ５６によって自在回転するカム板５７と、前記本体３０の下部に枢支されて該カム板５７と前記可動規制部材４６の作動棒５１,５１とに連繋される作動レバー部材５８とから構成されている。前記駆動モータ５６は、矩形状の前記カムボックス５５の下方に取付固定され、該モータ５６に連結された駆動ギヤ５９が、前記カム板５７に固定された従動ギヤ６０に噛合している。また前記カム板５７は、直縁部５７ａ,第１曲縁部５７ｂ,円弧部５７ｃおよび第２曲縁部５７ｄとを形成した異形略楕円状に成形されており、回転中心である回転軸６１が該直縁部５７ａ側へ適宜偏位している。なおカム板５７と駆動モータ５６は、カムボックス５５に前もって組付固定されてユニット化され、蓋板６２を取付けた該カムボックス５５は、前記裏部材２８に対してビス着されるようになっている。また前記作動レバー部材５８は、本体３０の後部下方において横方向に架設された支軸６３に外環したボス部６４と、前記蓋板６２の開口部６２ａを介して前記カム板５７と連繋するカムフォロア６５と、前記両作動棒５１,５１の後端部に連繋する凹部６６ａを先端に形成した作動片６６とを一体成形して構成され、該支軸６３に揺動自在に枢支されている。そしてカムフォロア６５の略中間部には、支持軸６７に係止された引張りコイルばね６８が係着しており、これにより作動レバー部材５８は、図７において常には反時計方向へ付勢されている。
【００１８】
このように構成された遊技球規制装置４５では、パチンコ機の裏側等に装備セットされる電子的な制御回路装置(図示しない)に接続制御された前記駆動モータ５６が定速駆動されるもとで、前記カム板５７が例えば図８における時計方向へ定速回転し、これにより前記可動規制部材４６の一対の球規制片４８,４８が一定周期で回動変位するようになっている。そして、前記駆動モータ５６により回動する前記カム板５７が、図８に示すように直線部５７ａが作動レバー部材５８に近接した状態に位置している場合は、前記引張りコイルばね６８により付勢されている作動レバー部材５８のカムフォロア６５と該直線部５７ａとが非係合状態となるよう設定されている。この場合には、作動レバー部材５８における作動片６６の凹部６６ａが下降変位することにより、可動規制部材４６の球規制片４８,４８は、互いに近接してその先端間の間隔が遊技球の直径よりやや大きい狭閉的な状態(第２の状態)に回動変位する。すなわち可動規制部材４６が、この第２の状態に回動変位した状態において集合凹路部３８ｂに到来した遊技球は、球規制片４８,４８の間を通過するに際してその通出位置および通出方向が制御されるので、転落案内溝４２を介して前記始動入賞口１８に向けてまっすぐに通出され、始動入賞口１８へ容易に入球し得るようになる(図５参照)。
【００１９】
一方、前記駆動モータ５６の回転下にカム板５７が時計方向へ回転すると、該カム板５７の第１曲縁部５７ｂと作動レバー部材５８のカムフォロア６５とが係合するに至り、該カム板５７の回転下に作動レバー部材５８は、図７に示した状態から時計方向へ徐々に揺動変位するようになる。そして、前記カム板５７が更に回転して円弧部５７ｃとカムフォロア６５とが係合するようになると、作動レバー部材５８における作動片６６の凹部６６ａが最も上昇するに至り、可動規制部材４６の球規制片４８,４８は、互いに離間してその先端間の間隔が遊技球の直径よりもかなり大きな拡開的な状態(第１の状態)に回動変位する(図６参照)。すなわち可動規制部材４６が、第１の状態に回動変位した状態において集合凹路部３８ｂに到来した遊技球は、球規制片４８,４８による通出位置や通出方向の規制が全くなされないから様々な方向へ通出され、前記始動入賞口１８へ入球され難くなる。
【００２０】
(図柄表示装置について)
図柄表示装置(単に「図柄装置」ともいう)Ｕは、前記遊技部品Ｍの本体３０裏側に装着させる液晶式のものが例とされ、複数列(例えば３列)複数個の図柄を同時に表示する図柄表示部７０を、前記本体３０における透視窓部３１の後方開口部に整合させた状態で固定される。そして、前記始動入賞条件毎に対して制御回路装置から発生される制御出力および指令等に基いて、図柄表示部７０に設定変動時間条件で図柄が順次表示された後に停止され、前記遊技部品Ｍの透視板３２を介して複数(３個)の図柄を各入賞ライン上に表示し、これが透視窓部３１を介してパチンコ機の前面側から視認されるようになっている。
【００２１】
【第１実施例の作用】
第１実施例に係るパチンコ遊技機の遊技盤Ｉにおいて、遊技領域１７に装着された遊技部品Ｍに配設した遊技球規制装置４５では、前記開閉作動機構４７の駆動モータ５６が、予じめ設定された通電駆動条件(例えばパチンコ機の通電時点)に従って一定速度で回転駆動されている状態例において、定速回転する前記カム板５７に連繋した作動レバー部材５８の揺動変位に伴い、可動規制部材４６の左右の球規制片４８,４８が第１,第２の状態位置を含めて継続的に回動開閉変位され、夫々の状態位置に応じて遊技球を始動入賞口１８側に向けて通出規制する。
【００２２】
例えば図８を基に説明すると、カム板５７が回転して作動レバー部材５８のカムフォロア６５に直線部５７ａが到来している場合には、該カムフォロア６５のカム板５７との係合が解除されているから、前記可動規制部材４６の球規制片４８,４８は第２の状態に保持されている。また、駆動モータ５６の駆動下にカム板５７が時計方向へ回転して、第１曲縁部５７ｂがカムフォロア６５に係合するようになると、作動レバー部材５８が徐々に揺動変位することにより、前記可動規制部材４６の球規制片４８,４８は第２の状態から拡開離間して第１の状態へ移行するようになる。更にカム板５７が時計方向へ回転して、円弧部５７ｃがカムフォロア６５に係合するようになると、前記可動規制部材４６の球規制片４８,４８は第１の状態に保持される。なお円弧部４７ｃは、回転軸６１を中心とした同一半径の円弧に設定されているから、カムフォロア６５がこの円弧部５７ｃに係合している間は、カム板５７が回転しても可動規制部材４６の球規制片４８,４８は第１の状態に保持されたままとなる。更にカム板５７が時計方向へ回転して、第２曲縁部５７ｄがカムフォロア６５に係合するようになると、前記作動レバー部材５８が徐々に揺動復帰することにより、前記可動規制部材４６の球規制片４８,４８は第１の状態から第２の状態へ移行するようになる。このように、駆動モータ５６の回転駆動下にカム板５７が１回転すると、可動規制部材４６は１サイクルの回動開閉変位を行なう。
【００２３】
前述した遊技球規制装置４５を備えた遊技部品Ｍを装着した第１実施例の遊技盤Ｉをセットしたパチンコ機では、在来のものと同様にその実施態様において、遊技操作に基く球送り作動と打球発射作動との協動により、パチンコ球(遊技球)が１球ずつ発射位置に送込まれて遊技領域１７内に打出され、図１中の夫々の入賞口１８,２１,２４に入るセーフ球と、アウト口２３に入るアウト球とに区分されるパチンコゲームを行なうことができる。そして、遊技盤Ｉでのパチンコゲームにおいて、遊技領域１７内を遊技釘に沿って自然落下して左右の案内車２０に到達した遊技球は、これら案内車２０でその通出方向が適宜変向され、遊技部品Ｍ側へ案内された遊技球は、遊技球案内部における左右の受け口３７から入って球受け部３８の前記傾斜路３８ａへ通出落下案内されたり、球受け部３８側へ落下せずにそのまま遊技部品Ｍの前面から遊技領域１７へ落下する。一方、本体３０上部の入賞口２５に入った遊技球は、左右何れかの球受け口２６に通入した後、通出口２７およびセーフ球用の排出案内路２８を介して前記球受け部３８の傾斜路３８ａへ通出案内される。
【００２４】
そして第１実施例に係る遊技盤Ｉでは、特別遊技に係る始動入賞条件を考慮して、左右の受け口３７または入賞口２５から球受け部３８に通出案内された遊技球に対して、遊技球規制装置４５が始動入賞口１８に向けた好適な通出規制を図り得るようにしたものであり、以下に始動入賞態様を主にして説明する。
【００２５】
そこで遊技球の案内態様として、先ず可動規制部材４６における左右一対の球規制片４８,４８が、図６および図１０に示すように、互いに離間してその先端間の間隔が遊技球の直径よりもかなり大きな拡開的な第１の状態において、球受け部３８へ案内された遊技球が集合凹路部３８ｂに到来した場合には、該遊技球は始動入賞口１８へ通出され難くなる。すなわち、集合凹路部３８ｂに到来した遊技球は、球規制片４８,４８による通出位置や通出方向の規制が全くなされずに様々な方向へ通出され、従って始動入賞口１８への入球確率が極めて低くなるから、入賞条件が比較的困難で入球数が少なく維持される。
【００２６】
一方、可動規制部材４６における左右一対の球規制片４８,４８が、図２,図３および図５に示すように、互いに近接してその先端間の間隔が遊技球の直径よりやや大きい狭閉的な第２の状態において、球受け部３８へ案内された遊技球が集合凹路部３８ｂに到来した場合には、該遊技球は始動入賞口１８へ通出され易くなる。すなわち、集合凹路部３８ｂに到来した遊技球は、球規制片４８,４８の間をゆっくり通過するに際してその通出位置および通出方向が制御されて、転落案内溝４２を介して前記始動入賞口１８に向けてまっすぐに通出され、始動入賞口１８へ容易に入球し得るようになるから、入賞条件が極めて容易で入球数が多く維持される。
【００２７】
このように第１実施例の遊技盤Ｉでは、特別遊技を呈し得る遊技部品Ｍおいて、始動入賞口１８に向けた遊技球の入球条件を、比較的に困難で入球数が少ない状態と、極めて容易で入球数が多い状態とに交互的に変化させて、特別遊技に係る始動入賞条件の発生率を適正な時間差を以って高低変化させることができ、これに基いてゲーム全体からみて好適とされる単位時間当りの平均的な発生率を維持することができる。なお前記した始動入賞条件は、始動入賞口１８に入ったセーフ球がスイッチ１９で検出されて、前記図柄表示装置Ｕに係る電子制御回路に入力された時点で有効とされ、その有効分が遊技部品Ｍの保留ランプ類３５で表示される。
【００２８】
そして、前記遊技球規制装置４５を有する遊技盤Ｉをセットしたパチンコ機では、前述のように適正に発生される始動入賞条件毎に基いて特別遊技が出現可能とされる。すなわち、前記制御回路装置から始動入賞条件毎に発信される図柄変動指令(データ)に基いて、前記図柄表示装置Ｕの図柄表示部７０が設定列順序で作動されると共に、所定時間後に順次停止されることにより所定の図柄が遊技部品Ｍにおける透視窓部３１内で入賞ライン上に表示される。そして、この図柄同士の表示結果が、設定組合わせ条件の場合に「大当り」が成立され、この「大当り」の成立に対して入賞装置Ｎが設定開放パターンに基いて開放作動されて、特別遊技が展開される。
【００２９】
従って、前記遊技球規制装置４５を有する遊技盤Ｉをセットしたパチンコ機にあっては、前述したように、パチンコゲーム中において始動入賞条件の適正化を図って好適な発生率を維持し得るもとで、所定時間当りにおける図柄変動の回数の適正化並びに時間差間隔の有効化を図ることができ、これに基いて設定確率による図柄組合わせ(大当り)を無理なく成立させ得ると共に、入賞装置Ｎの開放作動を奏することが可能とされ、始動入賞口１８への遊技球案内を基本とした特別遊技を含むパチンコゲームを好適に展開することができると共に、パチンコゲームの興趣の向上を図り得る。
【００３０】
【第２実施例】
図１１および図１２は、本発明の第２実施例に係るパチンコ遊技機の遊技盤に装着される遊技球規制装置７１を示すもので、この遊技球規制装置７１は、前記第１実施例で例示した遊技球規制装置４５と比較して、第１の状態における可動規制部材７２の動作姿勢形態が異なっている。また、第２実施例における遊技球規制装置７１の基本構成は、第１実施例の遊技球規制装置４５と同じであるので、異なる部分についてのみ説明する。
【００３１】
遊技球規制装置７１の可動規制部材７２は、左右対称の逆台形状に形成された一対の球規制片７３,７３を備え、各球規制片７３にはその下方に形成されたアーム７４と、該アーム７４の下端部に一体成形されて挿通孔７５ａを有するボス部７５と、このボス部７５の外周面から後方へ延出した作動棒７６とが一体成形され、球規制片７３とアーム７４とはＬ形に形成されている。左右に対向する一対の球規制片７３,７３の夫々は、前記本体３０の下方中央部の裏側から後方へ水平かつ平行に延出した支軸４３,４３に対し、前記ボス部７５の挿通孔７５ａを介して回動可能に枢支されている。そして可動規制部材７２は、前記集合凹路部３８ｂと前記転落案内溝４２との間において、前記開閉作動機構４７によって一対の球規制片７３,７３を閉鎖当接させた第１の状態と(図１２(ａ)参照)、該球規制片７３,７３を離間させた第２の状態(図１２(ｂ)参照)とに回動変位し得る。なお第２実施例における遊技球規制装置７１では、第１の状態から第２の状態への変移における可動規制部材７２の回動方向が、前記第１実施例の遊技球規制装置４５における可動規制部材４６と逆方向になるため、前記開閉作動機構４７におけるカム板５７と作動レバー部材５８との係合作用形態もこれに合わせて適宜変更される。また各球規制片７３の集合凹路部３８ｂを指向する後面は、他方の球規制片７３を指向する先端から反対側(外側)に向けて前面側に傾斜する弧状に形成され、第１の状態では遊技球を左右方向へ確実に振分けて集合凹路部３８ｂに遊技球を滞留させないよう構成している。
【００３２】
このように構成された第２実施例の遊技盤Ｉにおける遊技球規制装置７１では、遊技球を始動入賞口１８に向けて通出し難くする第１の状態では、可動規制部材７２の両球規制片７３,７３が互いに閉鎖近接方向へ回動変位して双方の先端部を当接させた姿勢に位置するようになり(図１２(ａ))、これによって球受け部３８へ案内された遊技球が集合凹路部３８ｂに到来した場合には、該遊技球を始動入賞口１８へ通出され難く設定する。すなわち集合凹路部３８ｂに到来した遊技球は、両球規制片７３,７３によって左右方向へ振分けられて該球規制片７３,７３の左側または右側から前方へ通出され、始動入賞口１８への入球確率が極めて低くなるから、入賞条件が比較的困難で入球数が少なく維持される。
【００３３】
一方、遊技球を始動入賞口１８に向けて通出し易くする第２の状態では、可動規制部材７２の両球規制片７３,７３が互いに拡開離間方向へ回動変位して双方の先端部の間隔を遊技球の直径よりやや大きく開放させた姿勢に位置するようになっており(図１２(ｂ))、これにより球受け部３８へ案内された遊技球が集合凹路部３８ｂに到来した場合には、該遊技球を始動入賞口１８へ通出され易く設定する。すなわち集合凹路部３８ｂに到来した遊技球は、両球規制片７３,７３の間をゆっくり通過するに際してその通出位置および通出方向が制御されて、転落案内溝４２を介して前記始動入賞口１８に向けてまっすぐに通出され、該始動入賞口１８へ容易に入球し得るようになるから、入賞条件が極めて容易で入球数が多く維持される。
【００３４】
このように第２実施例の遊技盤Ｉでは、特別遊技を呈し得る遊技部品Ｍおいて、始動入賞口１８に向けた遊技球の入球条件を、比較的に困難で入球数が少ない状態と、極めて容易で入球数が多い状態とに交互的に変化させて、特別遊技に係る始動入賞条件の発生率を適正な時間差を以って高低変化させることができ、これに基いてゲーム全体からみて好適とされる単位時間当りの平均的な発生率を維持することができるものである。
【００３５】
なお前記第１実施例および第２実施例の遊技盤Ｉでは、回動変位形態の可動規制部材４６につき例示したが、この可動規制部材４６の姿勢変位形態はこれに限るものではなく、例えば上下スライド変位形態、左右スライド変位形態、傾斜スライド変位形態としても、始動入賞口１８に向けて通出し難くする第１の状態と、通出し易くする第２の状態とに変化させることが可能である。
【００３６】
また前記各実施例では、液晶式の図柄表示装置Ｕを装備した遊技部品Ｍに遊技球規制装置４５,７１を配設した場合を例示したが、対象とする遊技部品Ｍに関しては、ベルト形式の図柄表示装置やドラム形式の図柄表示装置およびブラウン管形式の図柄表示装置等にも実施し得る。
【００３７】
【発明の効果】
以上説明した如く、本発明に係るパチンコ遊技機の遊技盤によれば、遊技領域の所要部位に装着された遊技部品本体の球受け部の前側に、作動機構に連繋された左右一対の可動片を含む可動規制部材を設けたことにより、該左右一対の可動片を互いに離間してその先端間の間隔が遊技球の直径よりもかなり大きな拡開的に変位して球受け部に受けられた遊技球を遊技具に向けて通出し難くする第１の状態、および左右一対の可動片が互いに近接してその先端間の間隔が遊技球の直径よりやや大きい狭閉的に変位して球受け部に受けられた遊技球を遊技具に向けて通出し易くする第２の状態に変化させることができる。従って、前記可動規制部材を備えた遊技部品本体を遊技領域に装着して特別遊技を呈し得るよう設定された遊技盤では、始動入賞口に向けた遊技球の入球条件を、比較的に困難で少ない状態と、極めて容易で多い状態とに交互的に変化させて、特別遊技に係る始動入賞条件の発生率を適正な時間差を以って高低変化させることができ、これに基いてゲーム全体からみて好適とされる単位時間当りの平均的な発生率を維持することができるものである。
また、本願の別の発明に係るパチンコ遊技機の遊技盤によれば、遊技領域の所要部位に装着された遊技部品本体の球受け部の前側に、作動機構に連繋された左右一対の可動片を含む可動規制部材を設けたことにより、該左右一対の可動片が閉鎖当接するよう変位することで、球受け部に受けられた遊技球を左右方向へ振分け的に落下させて遊技領域の遊技具に向けて通出し難くする第１の状態、および左右一対の可動片が離間してその先端間の間隔が遊技球の直径よりやや大きくなるよう変位することで、球受け部に受けられた遊技球を遊技領域の遊技具に向けて通出し易くする第２の状態に変化させることができる。従って、前記可動規制部材を備えた遊技部品本体を遊技領域に装着して特別遊技を呈し得るよう設定された遊技盤では、始動入賞口に向けた遊技球の入球条件を、比較的に困難で少ない状態と、極めて容易で多い状態とに交互的に変化させて、特別遊技に係る始動入賞条件の発生率を適正な時間差を以って高低変化させることができ、これに基いてゲーム全体からみて好適とされる単位時間当りの平均的な発生率を維持することができる。
【図面の簡単な説明】
【図１】本発明の第１実施例に係る遊技盤を備えたパチンコ機全体を略示する正面図である。
【図２】第１実施例に係る遊技盤に装着される遊技部品を、可動規制部材が第２の状態に位置した状態で示す概略斜視図である。
【図３】第１実施例に係る遊技盤に装着される遊技部品を、可動規制部材が第２の状態に位置した状態で示す正面図である。
【図４】第１実施例に係る遊技盤に装着された遊技部品を、可動規制部材が第２の状態に位置した状態で示す縦断側面図である。
【図５】第１実施例に係る遊技盤の遊技部品に配設した遊技球規制装置を、可動規制部材が第２の状態に位置した状態で一部破断して示す正面図である。
【図６】第１実施例に係る遊技盤の遊技部品に配設した可動規制部材が、第１の状態に変位した状態を示す正面図である。
【図７】第１実施例に係る遊技盤の遊技部品に配設した遊技球規制装置を、可動規制部材が第２の状態に位置した状態で示す縦断側面図である。
【図８】第１実施例に係る遊技盤の遊技部品に配設した遊技球規制装置を、可動規制部材が第２の状態に位置した状態で一部破断して示す平面図である。
【図９】第１実施例に係る遊技盤の遊技部品に配設された遊技球規制装置を構成する可動規制部材,作動レバー部材およびカム板の一部を示す概略斜視図である。
【図１０】第１実施例に係る遊技盤に配設される遊技部品を、可動規制部材が第１の状態に位置した状態で示す要部斜視図である。
【図１１】本発明の第２実施例に係る遊技盤の遊技部品に配設された可動規制部材を、第１の状態に位置した状態で示す要部平面図である。
【図１２】第２実施例に係る遊技盤の遊技部品に配設される可動規制部材を、第１の状態および第２の状態で示す説明図である。
【符号の説明】
１７ 遊技領域
２５ 入賞口
２９ 排出案内路
１８ 始動入賞口(遊技具)
３０ 遊技部品本体
３８ 球受け部
３８ａ 傾斜路部
３８ｂ 集合凹路部
３９ 球出口
４０ 落下防止縁
４１ 挿通孔
４６ 可動規制部材
４７ 開閉作動機構
５６ 駆動モータ(電気的作動源)
７２ 可動規制部材
Ｉ 遊技盤
【図１】
0003752613.tif 000002
【図２】
0003752613.tif 000003
【図３】
0003752613.tif 000004
【図４】
0003752613.tif 000005
【図５】
0003752613.tif 000006
【図６】
0003752613.tif 000007
【図７】
0003752613.tif 000008
【図８】
0003752613.tif 000009
【図９】
0003752613.tif 000010
【図１０】
0003752613.tif 000011
【図１１】
0003752613.tif 000012
【図１２】
0003752613.tif 000013